(57)【要約】【課題】基地局装置からのデータ信号とＤ２Ｄ通信のデータ受信時に、効率的にＡＣＫ／ＮＡＣＫを送信することができない問題があった。【解決手段】基地局装置と他の端末装置からの送信信号を受信してＡＣＫ／ＮＡＣＫを送信する第２の端末装置であって、前記第２の端末装置は、前記基地局装置と前記他の端末装置へＡＣＫ／ＮＡＣＫを送信する制御情報送信処理部を有し、前記制御情報送信処理部は、複数の前記ＡＣＫ／ＮＡＣＫの送信タイミングの少なくとも一部が重複するかつ、前記ＡＣＫ／ＮＡＣＫの送信先に前記基地局装置と前記他の端末装置が含まれる場合、前記ＡＣＫ／ＮＡＣＫの送信先を示す情報に基づいて、前記ＡＣＫ／ＮＡＣＫの送信に用いるリソースを前記基地局装置より送信された制御情報のリソースインデックス情報により決定されるリソースか、その他のリソースとするかを切り替えて送信する。【選択図】図５
2016213517.tif 000002
【特許請求の範囲】
【請求項１】
基地局装置と他の端末装置から送信されたデータ信号を受信してＡＣＫ／ＮＡＣＫを送信する端末装置であって、
前記基地局装置と前記他の端末装置へＡＣＫ／ＮＡＣＫを送信する制御情報送信処理部を有し、
前記制御情報送信処理部は、複数の前記ＡＣＫ／ＮＡＣＫの送信タイミングの少なくとも一部が重複するかつ、前記ＡＣＫ／ＮＡＣＫの送信先に前記基地局装置と前記他の端末装置が含まれる場合、
前記ＡＣＫ／ＮＡＣＫの送信先を示す情報に基づいて、前記ＡＣＫ／ＮＡＣＫの送信に用いるリソースを前記基地局装置より送信された制御情報のリソースインデックス情報により決定されるリソースか、その他のリソースとするかを切り替えて送信することを特徴とする端末装置。
【請求項２】
前記ＡＣＫ／ＮＡＣＫを送信する前記リソースは、前記基地局装置へ送信する場合はＰＵＣＣＨを用い、前記他の端末装置へ送信する場合は前記基地局装置より指定されたＰＵＳＣＨの一部を用いることを特徴とする請求項１に記載の端末装置。
【請求項３】
前記ＡＣＫ／ＮＡＣＫを送信する前記リソースは、前記端末装置へ送信する場合は前記他の端末装置よりデータを受信したリソースもしくは前記基地局装置より指定されたリソースもしくはRNTIもしくはセルIDの少なくとも一つに基づいて決定することを特徴とする請求項１に記載の端末装置。
【請求項４】
前記ＡＣＫ／ＮＡＣＫを送信する前記リソースは、前記他の端末装置よりデータを受信したリソースと同一の周波数リソースであることを特徴とする請求項１に記載の端末装置。
【請求項５】
前記制御情報送信処理部は、前記ＡＣＫ／ＮＡＣＫの送信に用いる送信電力の決定に用いるパスロスの値を、前記ＡＣＫ／ＮＡＣＫの送信先が前記基地局装置の場合にはダウンリンクの参照信号に基づいて決定し、前記ＡＣＫ／ＮＡＣＫの送信先が前記他の端末装置の場合にはアップリンクリソースで送信された信号で算出することを特徴とする請求項１に記載の端末装置。
【請求項６】
前記制御情報送信処理部は、前記基地局装置より通知されるＰＵＣＣＨとＰＵＳＣＨの同時送信の可否を示すパラメータに基づいて、前記基地局装置と前記他の端末装置へのＡＣＫ／ＮＡＣＫを同時に送信するかを決定することを特徴とする請求項１に記載の端末装置。
【請求項７】
前記制御情報送信処理部は、前記基地局装置より通知されるＰＵＣＣＨとＰＵＳＣＨの同時送信の可否を示す前記パラメータにより同時送信ができない場合は、前記基地局装置へ送信する前記ＡＣＫ／ＮＡＣＫのみを送信することを特徴とする請求項６に記載の端末装置。
【請求項８】
前記制御情報送信処理部は、前記基地局装置より通知されるＰＵＣＣＨとＰＵＳＣＨの同時送信の可否を示す前記パラメータにより同時送信が可能かつ、同一サブフレームで前記基地局装置と前記他の端末装置へ前記ＡＣＫ／ＮＡＣＫ送信時に、送信電力が自装置の最大送信電力を超える場合、前記他の端末装置へ送信する前記ＡＣＫ／ＮＡＣＫの送信電力を優先し、残りの送信電力を前記基地局装置への送信電力とすることを特徴とする請求項６に記載の端末装置。
【請求項９】
前記制御情報送信処理部は、前記基地局装置より通知されるＰＵＣＣＨとＰＵＳＣＨの同時送信の可否を示す前記パラメータにより同時送信ができない場合かつ、前記他の端末装置への前記ＡＣＫ／ＮＡＣＫと前記基地局装置へのCQI送信が同一サブフレームの場合、前記他の端末装置への前記ＡＣＫ／ＮＡＣＫのみを送信することを特徴とする請求項６に記載の端末装置。
【請求項１０】
前記制御情報送信処理部は、前記他の端末装置への前記ＡＣＫ／ＮＡＣＫを送信するサブフレームで前記基地局装置よりＰＵＳＣＨのリソース割り当てを行われた場合、前記ＰＵＳＣＨのリソースを用いて前記他の端末装置への前記ＡＣＫ／ＮＡＣＫを送信することを特徴とする請求項１に記載の端末装置。
【発明の詳細な説明】
【技術分野】
【０００１】
本発明は、端末間通信を行う端末装置の再送制御に関する。
【背景技術】
【０００２】
第３．９世代の携帯電話の無線通信システムであるＬＴＥ（Long Term Evolution）システム（Ｒｅｌ．８およびＲｅｌ．９）の標準化が完了し、現在は第４世代の無線通信システムの１つとして、ＬＴＥシステムをより発展させたＬＴＥ−Ａ（LTE-Advanced、IMT-Aなどとも称する。）システム（Ｒｅｌ．１０以降）の標準化が行われている。
【０００３】
ＬＴＥ−ＡシステムのＲｅｌ．１０では、ＬＴＥシステム（Ｒｅｌ．８）の帯域をＣＣ（Component Carrier、Serving Cellとも呼称される）として、複数のＣＣをデータ伝送に用いるＣＡ（Carrier Aggregation）技術が導入されている。ＣＡを用いる端末装置（ユーザ装置、ＵＥ、移動局装置）は、複数のＣＣでのデータ伝送やデータ受信が可能となり、その場合１つのＣＣをプライマリセルとして設定され、その他のＣＣをセカンダリセルとして設定される。複数のＣＣよりデータを受信する場合は、端末装置はＨＡＲＱ（Hybrid Automatic Repeat Request）制御として各ＣＣへのＡＣＫ／ＮＡＣＫ（Acknowledgement / Negative Acknowledgement）を１つの制御情報でプライマリセルのＰＵＣＣＨ（Physical Uplink Control CHannel）より送信する。複数のＣＣで受信したデータに対するＡＣＫ／ＮＡＣＫを同時に送信する場合には、ＰＵＣＣＨ  Ｆｏｒｍａｔ１ｂ  ｗｉｔｈ  ｃｈａｎｎｅｌ  ｓｅｌｅｃｔｉｏｎもしくは、Ｆｏｒｍａｔ３が用いられる。
【０００４】
それぞれのＣＣを構成する基地局装置（eNB；evolved Node B）が異なる基地局装置の場合、Ｘ２インターフェースなどで基地局間通信より共有される。また、複数のＡＣＫ／ＮＡＣＫを送信しない場合でも、端末装置は１つのＣＣでＡＣＫ／ＮＡＣＫを送信するタイミングと、他方のＣＣで周期的もしくは非周期的に送信するＣＳＩ（Channel State InformationもしくはCQI: Channel Quality Indicatorとも呼称される）を送信するタイミングが重複する場合にも１つのＰＵＣＣＨのフォーマット（Ｆｏｒｍａｔ２ａもしくはＦｏｒｍａｔ２ｂ）を用いてプライマリセルに送信する。このように、ＬＴＥ−ＡシステムのＲｅｌ．１１までは、端末装置が複数の制御情報を送信する場合にも常にプライマリセルのＰＵＣＣＨのみ送信することで、複数のＰＵＣＣＨの同時送信を行わない。ＬＴＥ−ＡシステムのＲｅｌ．１２では、基地局間通信に遅延が存在するｎｏｎ−ｉｄｅａｌ  ｂａｃｋｈａｕｌのシナリオが検討されている。基地局間通信での遅延によるオーバヘッドの増加を防ぐために、端末装置が複数の制御情報を１つのフォーマットでプライマリセルのみに送信するのではなく、複数の制御情報を異なるＣＣのＰＵＣＣＨで送信するｄｕａｌ  ｃｏｎｎｅｃｔｉｖｉｔｙ技術の導入が検討されている。
【０００５】
一方、ＬＴＥ−ＡシステムのＲｅｌ．１２では、端末間通信（Ｄｅｖｉｃｅ  Ｔｏ  Ｄｅｖｉｃｅ  Ｃｏｍｍｕｎｉｃａｔｉｏｎ、Ｄ２Ｄ  Ｃｏｍｍｕｎｉｃａｔｉｏｎとも呼称される）技術の導入も検討されている（非特許文献１参照）。Ｄ２Ｄには、主に２つのシナリオが存在し、１つは基地局装置のカバレッジ内（Ｗｉｔｈｉｎ  Ｃｏｖｅｒａｇｅ）と他方は基地局装置のカバレッジ外（Ｏｕｔ  ｏｆ  Ｃｏｖｅｒａｇｅ）である。カバレッジ内のシナリオでは、Ｄ２Ｄ通信でデータを受信する端末装置は、基地局装置より送信されるダウンリンクのデータ（PDSCH；Physical Downlink Shared CHannel）とＤ２Ｄ通信のデータの受信が可能である。この場合、端末装置はＰＤＳＣＨに対するＡＣＫ／ＮＡＣＫとＤ２Ｄ通信に対するＡＣＫ／ＮＡＣＫをそれぞれ送信することとなる。
【先行技術文献】
【非特許文献】
【０００６】
【非特許文献１】Qualcomm Incorporated，“Text Proposal for TR 36.843”， R1-134025，August 19-23, 2013
【発明の概要】
【発明が解決しようとする課題】
【０００７】
端末装置がＰＤＳＣＨとＤ２Ｄ通信に対するＡＣＫ／ＮＡＣＫの送信方法として２つの解決方法が考えられる。１つ目は、ＬＴＥ−ＡシステムのＲｅｌ．１１と同様に、端末装置が１つの制御情報のフォーマットを用いて基地局装置へＡＣＫ／ＮＡＣＫを送信する。２つ目は、ＬＴＥ−ＡシステムのＲｅｌ．１２で検討されているｄｕａｌ  ｃｏｎｎｅｃｔｉｖｉｔｙと同様に、端末装置がＰＤＳＣＨとＤ２Ｄ通信に対するＡＣＫ／ＮＡＣＫをそれぞれ基地局装置と端末装置へ制御情報チャネルのＰＵＣＣＨで送信する。しかしながら、１つ目の方法は、基地局装置が端末装置からの制御情報を受信し、その制御情報にＤ２Ｄ通信に対するＡＣＫ／ＮＡＣＫが含まれる場合には、Ｄ２Ｄ通信でデータ送信した端末装置へＡＣＫ／ＮＡＣＫを通知する必要があり、オーバヘッドが大きくなる。２つ目の方法は、端末装置と基地局装置間と、Ｄ２Ｄ通信をする端末装置間のパスロスが大きくなることから、ＰＤＳＣＨとＤ２Ｄ通信に対するＡＣＫ／ＮＡＣＫで必要とされる送信電力が大きく異なる。その結果、Ｄ２Ｄ通信に対するＡＣＫ／ＮＡＣＫの送信電力を基地局装置と端末装置間のパスロスに基づいて決定すると、端末装置の電力効率の観点で好ましくなく、Ｄ２Ｄ通信をする端末装置間のパスロスに基づいて決定すると、ＰＵＣＣＨは複数の端末装置が拡散コードで多重されていることから、多重されている他の端末装置へのコード間干渉が増大する恐れがある。そのため、基地局装置からのデータ信号とＤ２Ｄ通信のデータ信号を受信する場合に、効率的にＡＣＫ／ＮＡＣＫを送信することができない問題があった。
【０００８】
本発明は上記の点に鑑みてなされたものであり、基地局装置からのデータ信号とＤ２Ｄ通信のデータ信号を受信する端末装置がＡＣＫ／ＮＡＣＫの送信先に応じて、送信方法や送信電力を切り替える端末装置を提供する。
【課題を解決するための手段】
【０００９】
（１）本発明は上記の課題を解決するためになされたものであり、本発明の一態様は、基地局装置と他の端末装置から送信されたデータ信号を受信してＡＣＫ／ＮＡＣＫを送信する第２の端末装置であって、前記第２の端末装置は、前記基地局装置と前記他の端末装置へＡＣＫ／ＮＡＣＫを送信する制御情報送信処理部を有し、前記制御情報送信処理部は、複数の前記ＡＣＫ／ＮＡＣＫの送信タイミングの少なくとも一部が重複するかつ、前記ＡＣＫ／ＮＡＣＫの送信先に前記基地局装置と前記他の端末装置が含まれる場合、前記ＡＣＫ／ＮＡＣＫの送信先を示す情報に基づいて、前記ＡＣＫ／ＮＡＣＫの送信に用いるリソースを前記基地局装置より送信された制御情報のリソースインデックス情報により決定されるリソースか、その他のリソースとするかを切り替えて送信する。
【００１０】
（２）また、本発明の一態様は、前記ＡＣＫ／ＮＡＣＫを送信する前記リソースは、前記基地局装置へ送信する場合はＰＵＣＣＨを用い、前記他の端末装置へ送信する場合は前記基地局装置より指定されたＰＵＳＣＨの一部を用いる。
【００１１】
（３）また、本発明の一態様は、前記ＡＣＫ／ＮＡＣＫを送信する前記リソースは、前記端末装置へ送信する場合は前記他の端末装置よりデータを受信したリソースもしくは前記基地局装置より指定されたリソースもしくはRNTIもしくはセルIDの少なくとも一つに基づいて決定する。
【００１２】
（４）また、本発明の一態様は、前記ＡＣＫ／ＮＡＣＫを送信する前記リソースは、前記他の端末装置よりデータを受信したリソースと同一の周波数リソースである。
【００１３】
（５）また、本発明の一態様は、前記制御情報送信処理部は、前記ＡＣＫ／ＮＡＣＫの送信に用いる送信電力の決定に用いるパスロスの値を、前記ＡＣＫ／ＮＡＣＫの送信先が前記基地局装置の場合にはダウンリンクの参照信号に基づいて決定し、前記ＡＣＫ／ＮＡＣＫの送信先が前記他の端末装置の場合にはアップリンクリソースで送信された信号で算出する。
【００１４】
（６）また、本発明の一態様は、前記制御情報送信処理部は、前記基地局装置より通知されるＰＵＣＣＨとＰＵＳＣＨの同時送信の可否を示すパラメータに基づいて、前記基地局装置と前記他の端末装置へのＡＣＫ／ＮＡＣＫを同時に送信するかを決定する。
【００１５】
（７）また、本発明の一態様は、前記制御情報送信処理部は、前記基地局装置より通知されるＰＵＣＣＨとＰＵＳＣＨの同時送信の可否を示す前記パラメータにより同時送信ができない場合は、前記基地局装置へ送信する前記ＡＣＫ／ＮＡＣＫのみを送信する。
【００１６】
（８）また、本発明の一態様は、前記制御情報送信処理部は、前記基地局装置より通知されるＰＵＣＣＨとＰＵＳＣＨの同時送信の可否を示す前記パラメータにより同時送信が可能かつ、同一サブフレームで前記基地局装置と前記他の端末装置へ前記ＡＣＫ／ＮＡＣＫ送信時に、送信電力が自装置の最大送信電力を超える場合、前記他の端末装置へ送信する前記ＡＣＫ／ＮＡＣＫの送信電力を優先し、残りの送信電力を前記基地局装置への送信電力とする。
【００１７】
（９）また、本発明の一態様は、前記制御情報送信処理部は、前記基地局装置より通知されるＰＵＣＣＨとＰＵＳＣＨの同時送信の可否を示す前記パラメータにより同時送信ができない場合かつ、前記他の端末装置への前記ＡＣＫ／ＮＡＣＫと前記基地局装置へのＣＳＩ送信が同一サブフレームの場合、前記他の端末装置への前記ＡＣＫ／ＮＡＣＫのみを送信する。
【００１８】
（１０）また、本発明の一態様は、前記制御情報送信処理部は、前記他の端末装置への前記ＡＣＫ／ＮＡＣＫを送信するサブフレームで前記基地局装置よりＰＵＳＣＨのリソース割り当てを行われた場合、前記ＰＵＳＣＨのリソースを用いて前記他の端末装置への前記ＡＣＫ／ＮＡＣＫを送信する。
【発明の効果】
【００１９】
本発明によれば、基地局装置からのデータ信号とＤ２Ｄ通信のデータ信号を受信する端末装置が送信先に情報に基づいて送信方法や送信電力を切り替えることで、効率的なＡＣＫ／ＮＡＣＫの送信が実現でき、周波数利用効率の向上、システムスループットの増加、送信電力の効率な割当が可能となる。
【図面の簡単な説明】
【００２０】
【図１】本発明に係るシステムの一例の概略図である。
【図２】本発明に係るシステムの一例の概略図である。
【図３】本発明に係る基地局装置ｅＮＢの構成の一例を示す概略ブロック図である。
【図４】本発明に係る第１の端末装置の構成の一例を示す概略ブロック図である。
【図５】本発明に係る第２の端末装置の構成の一例を示す概略ブロック図である。
【図６】本発明に係るＤＬリソース信号検出部３０３の構成の一例を示す概略ブロック図である。
【図７】本発明に係る受信信号検出部４０５の構成の一例を示す概略ブロック図である。
【図８】本発明に係るＵＬリソース信号検出部３０４の構成の一例を示す概略ブロック図である。
【図９】本発明に係る受信信号検出部５０５の構成の一例を示す概略ブロック図である。
【図１０】第２の実施形態に係る第２の端末装置の構成の一例を示す概略ブロック図である。
【図１１】第２の実施形態に係るＤＬリソース信号検出部６０３の構成の一例を示す概略ブロック図である。
【図１２】第２の実施形態に係るＵＬリソース信号検出部６０４の構成の一例を示す概略ブロック図である。
【図１３】第３の実施形態に係る第２の端末装置の構成の一例を示す概略ブロック図である。
【図１４】第３の実施形態に係るＤＬリソース信号検出部７０３の構成の一例を示す概略ブロック図である。
【発明を実施するための形態】
【００２１】
以下、本発明の実施形態について図面を参照して説明する。以下の各実施形態では、データ伝送を行う送信装置を基地局装置（eNB；evolved Node B）と端末間通信（Ｄｅｖｉｃｅ  Ｔｏ  Ｄｅｖｉｃｅ  Ｃｏｍｍｕｎｉｃａｔｉｏｎ、Ｄ２Ｄ  Ｃｏｍｍｕｎｉｃａｔｉｏｎとも呼称される）でデータ伝送する第１の端末装置（ユーザ装置、ＵＥ、移動局装置）とし、ＰＤＳＣＨやＤ２Ｄ通信のデータを受信し、ＡＣＫ／ＮＡＣＫ（Acknowledgement / Negative Acknowledgement）を送信する第２の端末装置とする。また、データ伝送を行う基地局装置は小基地局（small eNB、もしくはpico eNB）であっても良いし、Ｃｌｕｓｔｅｒ  Ｈｅａｄ（CH）が基地局のように動作する場合にはＣＨでも良い。また、本発明は、ＬＴＥシステムを前提に説明するが、無線ＬＡＮやモバイルＷｉＭＡＸ（IEEE802.16e）等、他のシステムに適用しても良い。
【００２２】
（第１の実施形態）
図１に、本発明に係るシステムの概略図を示す。同図のシステムでは、ダウンリンクのデータ伝送を行う基地局装置ｅＮＢと、端末間通信の伝送が可能な第１の端末装置ＵＥ１と、基地局装置ｅＮＢと第１の端末装置ＵＥ１のいずれかもしくは両方からのデータを受信する第２の端末装置ＵＥ２、ＵＥ３から構成される。端末装置ＵＥ２、ＵＥ３は、基地局装置ｅＮＢと第１の端末装置ＵＥ１の両方からのデータを受信可能であり、同一タイミングでデータ受信しても良い。また、第２の端末装置ＵＥ２は、受信したデータに対するＡＣＫ／ＮＡＣＫを、データの送信元に送信する。ここで、第２の端末装置ＵＥ２は基地局装置ｅＮＢと第１の端末装置ＵＥ１へＡＣＫ／ＮＡＣＫを送信するタイミングの少なくとも一部が重複する場合がある。同図では、第１の端末装置ＵＥ１は基地局装置ｅＮＢのカバレッジ内としているが、他の基地局装置のカバレッジ内もしくはどの基地局装置のカバレッジの外であっても良い。
【００２３】
図２に、端末装置ＵＥ１、ＵＥ２、ＵＥ３が通信可能な基地局装置ｅＮＢがない場合を示す。この場合は、基地局装置ｅＮＢの代わりにＣｌｕｓｔｅｒ  Ｈｅａｄがあり、Ｃｌｕｓｔｅｒ  Ｈｅａｄが基地局装置のようにリソース割り当てなどの制御を行っても良い。
【００２４】
図３に、本実施形態に係る基地局装置ｅＮＢの構成の一例を示す概略ブロック図を示す。基地局装置ｅＮＢは、端末装置からＰＵＣＣＨ（Physical Uplink Control CHannel）で送信された制御情報を受信アンテナ１１０で受信する。受信部１１１は受信信号をベースバンド周波数にダウンコンバートし、Ａ／Ｄ（Ａｎａｌｏｇ／Ｄｉｇｉｔａｌ；アナログ／ディジタル）変換し、ディジタル信号からＣＰを除去した信号する。その後、受信部１１１はＣＰ除去後の制御情報から、ＡＣＫ／ＮＡＣＫ（Acknowledgement / Negative Acknowledgement）情報とＣＳＩ（Channel State InformationもしくはCQI: Channel Quality Indicatorとも呼称される）の情報を抽出し、それぞれ再送制御部１００と制御情報決定部１１２に出力する。制御情報決定部１１２は、複数の端末装置のＣＳＩに基づいてダウンリンクのデータ伝送に用いる周波数リソースをスケジューリングし、データ伝送に用いるプリコーディングなども決定する。制御情報決定部１１２は、周波数リソースの割当情報を信号割当部１０４−１〜１０４−Ｍに出力し、周波数リソースの割当情報を含む制御情報を生成して制御信号多重部１０６−１〜１０６−Ｍに出力し、プリコーディング情報をプリコーディング部１０３に出力する。
【００２５】
再送制御部１００は、ダウンリンクでデータ伝送するデータビット列が入力され、ＡＣＫ／ＮＡＣＫの情報を基に、前回の送信タイミングで送信したデータビット列を符号化部１０１−１〜１０１−Ｌに出力するか、新しいデータビット列を符号化部１０１−１〜１０１−Ｌに出力するかを決定し、データビット列を出力する。符号化部１０１−１〜１０１−Ｌは、入力されたデータビット列に対し、誤り訂正符号の符号化を施す。誤り訂正符号には、例えば、ターボ符号やＬＤＰＣ（Low Density Parity Check）符号、畳み込み符号などが用いられる。符号化部１０１−１〜１０１−Ｌで施す誤り訂正符号の種類は、送受信装置で予め決められていても良いし、送受信機会毎に制御情報として通知されても良い。符号化部１０１−１〜１０１−Ｌは、ＰＤＣＣＨ（Physical Downlink Control CHannel）で端末装置へ通知したＭＣＳ（Modulation and Coding Scheme）に含まれる符号化率に基づいて、符号化ビット列に対してパンクチャを行う。符号化部１０１−１〜１０１−Ｌは、パンクチャした符号化ビット列を変調部１０２−１〜１０２−Ｌへ出力する。
【００２６】
変調部１０２−１〜１０２−Ｌは、図示していないがＰＤＣＣＨで端末装置へ通知した変調方式が入力され、符号化部１０１−１〜１０１−Ｌから入力された符号化ビット列に対して変調を施すことで、変調シンボル列を生成する。変調方式には、例えば、ＱＰＳＫ（Ｑｕａｔｅｒｎａｒｙ Ｐｈａｓｅ Ｓｈｉｆｔ Ｋｅｙｉｎｇ；四相位相偏移変調）、１６ＱＡＭ（１６−ａｒｙ  Ｑｕａｄｒａｔｕｒｅ  Ａｍｐｌｉｔｕｄｅ  Ｍｏｄｕｌａｔｉｏｎ；１６直交振幅変調）や６４ＱＡＭなどがある。変調部１０２−１〜１０２−Ｌは、生成した変調シンボル列をプリコーディング部１０３に出力する。プリコーディング部１０３は、入力された変調シンボル列に対してプリコーディング行列を乗算し、アンテナポート毎の信号を生成し、信号割当部１０４−１〜１０４−Ｍに出力する。アンテナポートとは、複数のアンテナがあることを受信装置側で認識する必要がない構成であれば、アンテナポート数を１とされる。
【００２７】
以降、信号割当部１０４−１〜１０４−Ｍから送信アンテナ１０９−１〜１０９−Ｍまでの処理は各アンテナで同一であるため、信号割当部１０４−１から送信アンテナ１０９−１の処理のみを説明する。信号割当部１０４−１は、制御情報決定部１１２より入力された周波数リソース割当の情報に基づいてプリコーディング部１０３より入力された信号列を周波数帯域に配置し、参照信号多重部１０５−１に出力する。参照信号多重部１０５−１は、信号割当部１０４−１より周波数領域のデータ信号列が入力され、参照信号生成部１１３より参照信号列が入力され、これらの信号列を多重することで、送信信号のフレームを生成する。制御信号多重部１０６−１では、送信信号のフレームに対して、送信する制御情報を多重する。ＩＦＦＴ部１０７−１は、制御信号多重部１０６−１より周波数領域の送信信号のフレームが入力され、各ＯＦＤＭシンボル単位で逆高速フーリエ変換することで、周波数領域信号列から時間領域信号列に変換する。時間領域信号列は、送信処理部１０８−１に出力される。
【００２８】
送信処理部１０８−１は、時間領域信号列にＣＰ（Cyclic Prefix；サイクリックプレフィックス）を挿入し、Ｄ／Ａ（Digital/Analog；ディジタル／アナログ）変換でアナログの信号に変換し、変換後の信号を伝送に使用する無線周波数にアップコンバートする。送信処理部１０８−１は、アップコンバートした信号を、ＰＡ（Power Amplifier）で増幅し、増幅後の信号を、送信アンテナ１０９−１を介して送信する。信号割当部１０４−２〜１０４−Ｍから送信アンテナ１０９−２〜１０９−Ｍは上記説明と同様の処理を行う。また、基地局装置は複数のアンテナポートでデータ伝送を行う場合について説明したが、アンテナポート数を１としても良い。
【００２９】
本発明に係る第１の端末装置の構成の一例を示す概略ブロック図を図４に示す。第１の端末装置は、基地局装置からＰＤＣＣＨ（Physical Downlink Control CHannel）等で送信された制御情報もしくは第２の端末装置よりＰＵＳＣＨ（Physical Uplink Shared CHannel）等で送信された制御情報を受信アンテナ２０９で受信する。受信部２１０は受信信号をベースバンド周波数にダウンコンバートし、ダウンコンバートした信号に対してＡ／Ｄ変換を行うことでディジタル信号を生成する。さらに、受信部２１０はディジタル信号からＣＰを除去した信号を送信パラメータ抽出部２１１へ出力する。ここで、送信パラメータとは、再送制御情報、ＭＣＳや周波数リソース割当情報、送信電力制御情報、基地局装置へのアップリン伝送許可もしくは端末間通信の伝送許可などの少なくとも一部の情報が含まれる。送信パラメータ抽出部２１１は、受信した制御情報よりＭＣＳに含まれる符号化率の情報を符号化部２０１に出力し、図示していないがＭＣＳに含まれる変調方式の情報を変調部２０２に出力し、周波数リソース割当の情報を信号割当部２０４に出力し、前の送信タイミングの伝送に対するＡＣＫ／ＮＡＣＫを再送制御部２００に出力する。再送制御部２００に入力されるＡＣＫ／ＮＡＣＫは、第２の端末装置より送信された端末間通信に対するＡＣＫ／ＮＡＣＫもしくは、基地局装置より送信されたアップリンク伝送に対するＡＣＫ／ＮＡＣＫの少なくとも一方とする。また、ＮＡＣＫにより再送要求を受信した場合は、ＭＣＳや周波数リソースは前の送信タイミングの送信パラメータを記憶しておき、再送時に用いても良いし、予め再送用の送信パラメータを送受信間で共有していても良いし、再送要求時に送信パラメータが制御情報に含まれていても良い。
【００３０】
再送制御部２００は、データビット列が入力され、ＡＣＫ／ＮＡＣＫの情報を基に、前回の送信タイミングで送信したデータビット列を符号化部２０１に出力するか、新しいデータビット列を符号化部２０１に出力するかを決定し、データビット列を出力する。符号化部２０１、変調部２０２は、それぞれ符号化部１０１−１〜１０１−Ｌと変調部１０２−１〜１０２−Ｌと同様の処理をデータビット列に施し、変調シンボル列を得る。ＤＦＴ部２０３は、変調シンボル列を時間領域の信号列から周波数領域の信号列に変換し、信号割当部２０４に出力する。信号割当部２０４は、送信パラメータ抽出部２１１より入力された周波数リソース割当の情報に基づいて周波数領域の信号列を割り当て、参照信号多重部２０５に出力する。ここで、信号の割り当てが連続的な周波数の場合はＤＦＴＳ−ＯＦＤＭ（Discrete Fourier Transform Spread Orthogonal Frequency Division Multiplexing、SC-FDMAとも称される）信号であり、非連続な周波数の場合はＣｌｕｓｔｅｒｅｄ  ＤＦＴＳ−ＯＦＤＭ信号の伝送となる。参照信号多重部２０５は、信号割当部２０４より周波数領域のデータ信号列が入力され、参照信号生成部２１２より参照信号列が入力され、これらの信号列を多重することで、送信信号のフレームを生成する。ＩＦＦＴ部２０６は、周波数領域の送信信号のフレームが入力され、各ＯＦＤＭシンボル単位で逆高速フーリエ変換することで、周波数領域信号列から時間領域信号列に変換する。時間領域信号列は、送信処理部２０７に出力される。送信処理部２０７は、時間領域信号列にＣＰを挿入し、Ｄ／Ａ変換でアナログの信号に変換し、変換後の信号を伝送に使用する無線周波数にアップコンバートする。送信処理部２０７は、アップコンバートした信号を、ＰＡで増幅し、増幅後の信号を、送信アンテナ２０８を介して送信する。また、第２の端末装置はアンテナポート数を１としてデータ伝送を行う場合について説明したが、アンテナポート数を複数有しても良い。
【００３１】
本発明に係る第２の端末装置の構成の一例を示す概略ブロック図を図５に示す。同図では、データの受信に用いる受信アンテナ数をＮとしている。Ｎは１以上の整数とする。第２の端末装置は、受信アンテナ３０１−１〜３０１−Ｎにより信号を受信し、受信した信号はそれぞれ受信処理部３０２−１〜３０２−Ｎに出力する。受信処理部３０２−１〜３０２−Ｎは受信信号をベースバンド周波数にダウンコンバートし、ダウンコンバートした信号に対してＡ／Ｄ変換を行うことでディジタル信号を生成する。さらに、受信処理部３０２−１〜３０２−Ｎはディジタル信号からＣＰを除去した信号をそれぞれＤＬリソース信号検出部３０３とＵＬ送信帯域信号検出部３０４に出力する。
【００３２】
本発明に係るＤＬリソース信号検出部３０３の構成の一例を示す概略ブロック図を図６に示す。ＤＬリソース信号検出部３０３は、ダウンリンクの信号が入力される。ここで、ダウンリンクの信号とは、ＦＤＤ（Frequency Division Duplex）の場合、ダウンリンク用の周波数の信号であり、ＴＤＤ（Time Division Duplex）の場合、ダウンリンクのサブフレームの信号を意味する。ＤＬリソース信号検出部３０３は、入力された信号はＦＦＴ部４０１−１〜４０１−Ｎに出力する。ＦＦＴ部４０１−１〜４０１−Ｎから割当信号抽出部４０４−１〜４０４−Ｎはそれぞれ同一の処理をするため、ＦＦＴ部４０１−１から割当信号抽出部４０４−１の処理のみを説明する。
【００３３】
ＦＦＴ部４０１−１は、入力された受信信号列を高速フーリエ変換により時間領域信号列から周波数領域信号列に変換し、周波数領域信号列を制御情報分離部４０２−１に出力する。制御情報分離部４０２−１は、ＰＤＣＣＨの信号を抽出し、制御情報識別部４１０に出力する。制御情報識別部４１０は、ダウンリンクのデータ伝送に用いられた送信パラメータを抽出し、受信信号検出部４０５に出力する。参照信号分離部４０２−１は、制御情報が分離された信号が入力され、入力された周波数領域信号列から参照信号列を分離する。参照信号分離部４０２−１は、分離した参照信号列を伝搬路推定部４０８に入力し、参照信号列を分離した残りの受信信号列を割当信号抽出部４０４−１に入力する。
【００３４】
伝搬路推定部４０８は、ＣＲＳ（Cell-specific Reference Signal）やＣＳＩ−ＲＳ（Channel State Information−Reference Signal）、ＤＭＲＳ（De-Modulation Reference Signal）などの参照信号列が入力され、主にＣＲＳやＣＳＩ−ＲＳで推定した周波数応答はＣＳＩを生成するために使用され、ＤＭＲＳで推定した周波数応答はデータ信号の復調に用いられる。伝搬路推定部４０８は、ＣＳＩを制御情報出力部４０９に出力し、復調用の推定した周波数応答は受信信号検出部４０５に出力する。割当信号抽出部４０４−１は、図示していないが制御情報識別部４１０よりダウンリンクのデータ伝送に用いられた周波数リソースの割当情報が入力され、周波数領域信号列から基地局装置より送信されたデータ信号列を抽出し、受信信号検出部４０５に入力する。
【００３５】
本発明に係る受信信号検出部４０５の構成の一例を示す概略ブロック図を図７に示す。受信信号検出部４０５は、ダウンリンクの信号を受信するため、ＯＦＤＭ信号の受信処理を行う。受信信号検出部４０５は、割当信号抽出部４０４−１〜４０４−Ｎより入力された信号列をＭＩＭＯ分離部４０５１に出力する。ＭＩＭＯ分離部４０５１は、伝搬路推定部４０８より入力された伝搬路の周波数応答よりＭＭＳＥ規範に基づく等化重みを生成し、入力された周波数領域のデータ信号列に対して重みを乗算することでＭＩＭＯ多重された信号を分離する。ＭＩＭＯ分離部４０５１は、分離した信号列を復調部４０５３−１〜４０５３−Ｌに入力する。ただし、Ｌは１以上の整数とする。ＭＩＭＯ分離部４０５１での信号処理は、ＺＦ（Zero Forcing）基準等の他の基準の空間フィルタリングや、ＭＬＤ（Maximum Likelihood Detection）等の他の検出法を適用してもよい。
【００３６】
復調部４０５３−１〜４０５３−Ｌは、制御情報識別部４１０より変調方式の情報が入力され、時間領域の受信信号列に対して復調処理を施し、ビット系列のＬＬＲ（Log Likelihood Ratio）、つまりＬＬＲ列を得る。復調部４０５３−１〜４０５３−Ｌは、復調で得られたＬＬＲ列を復号部４０５４−１〜４０５４−Ｌに出力する。復号部４０５４−１〜４０５４−Ｌは、制御情報識別部４１０より符号化率の情報に入力され、ＬＬＲ列に対して復号処理を行う。復号部４０５４−１〜４０５４−Ｌは、復号後のＬＬＲ列を誤り判定部４０６に出力する。誤り判定部４０６は、入力された復号後のＬＬＲ列をコードワード毎に硬判定し、誤りが無かった場合にはビット列を送信データとして得る。コードワード毎の誤りの有無の情報は、ＡＣＫ／ＮＡＣＫとして通知するために制御情報出力部４０９に出力する。
【００３７】
本発明に係るＵＬリソース信号検出部３０４の構成の一例を示す概略ブロック図を図８に示す。同図は、制御情報分離部５０２−１〜５０２−Ｎ、割当信号抽出部５０４−１〜５０４−Ｎ、受信信号検出部５０５、制御情報識別部５１０以外は図６と同様のため、説明を省略する。ＵＬリソース信号検出部３０４は、アップリンクの信号が入力される。ここで、アップリンクの信号とは、ＦＤＤ（Frequency Division Duplex）の場合、アップリンク用の周波数の信号であり、ＴＤＤ（Time Division Duplex）の場合、アップリンクのサブフレームの信号を意味する。制御情報分離部５０２−１〜５０２−Ｎは、アップリンクの信号に含まれる端末間通信用の制御情報を分離し、分離した制御情報を制御情報識別部５１０に出力し、残りの信号列を参照信号分離部４０３−１〜４０３−Ｎに出力する。割当信号抽出部５０４−１〜５０４−Ｎは、図示していないが制御情報識別部４１０より端末間通信に用いられた周波数リソースの割当情報が入力され、周波数領域信号列から第１の端末装置より送信されたデータ信号列を抽出し、受信信号検出部５０５に入力する。ここで、周波数リソースの割当情報が連続か非連続かにより、ＤＦＴＳ−ＯＦＤＭ信号かＣｌｕｓｔｅｒｅｄ  ＤＦＴＳ−ＯＦＤＭ信号かが決定する。
【００３８】
本発明に係る受信信号検出部５０５の構成の一例を示す概略ブロック図を図９に示す。受信信号検出部５０５は、端末間通信の信号を受信するため、ＤＦＴＳ−ＯＦＤＭ信号もしくはＣｌｕｓｔｅｒｅｄ  ＤＦＴＳ−ＯＦＤＭ信号の受信処理を行う。同図は、ＩＤＦＴ部４０５２−１〜４０５２−Ｌが追加された以外は図７と同様のため、説明を省略する。ＩＤＦＴ部４０５２−１〜４０５２−Ｌは入力された信号列を周波数領域から時間領域に変換し、それぞれ復調部４０５３−１〜４０５３−Ｎに出力する。
【００３９】
図５の制御情報送信処理部３００について説明する。制御情報生成部３０５は、ＤＬリソース信号検出部３０３とＵＬリソース信号検出部３０４の制御情報出力部４０９よりＣＳＩやダウンリンクのデータ伝送に対するＡＣＫ／ＮＡＣＫが入力され、制御情報識別部４１０、５１０よりデータ伝送に用いられたリソースがダウンリンクかアップリンクかの情報が入力される。ここで、ダウンリンクかアップリンクかの判別はデータ受信がＰＤＳＣＨかＰＵＳＣＨかであっても良い。制御情報生成部３０５は、ダウンリンクで伝送された信号の制御情報は、ＰＵＣＣＨのフォーマットに変換する。制御情報生成部３０５は、アップリンクで伝送された信号の制御情報は、端末間通信でＡＣＫ／ＮＡＣＫの通知フォーマットに変換する。また、送信する制御情報にＣＰを付加する場合には、比較的距離の遠い基地局装置へ送信する制御情報にはＣＰ長を長くし、比較的距離の近い第１の端末装置へ送信する制御情報にはＣＰ長を短く、あるいはＣＰを挿入せずに、効率的な伝送としても良い。
【００４０】
制御情報生成部３０５は、生成した制御情報とデータ受信したリソースがダウンリンクかアップリンクかを示す情報を送信先判別部３０７に出力する。送信先判別部３０７は、ダウンリンクのリソースで受信した信号を基地局装置より伝送された信号と判別し、生成した制御情報をＰＵＣＣＨに配置する。ここで、ＰＵＣＣＨに配置するとは、基地局装置がダウンリンクのリソースを指定するために送信した制御情報であるＰＤＣＣＨは配置されていたＣＣＥ（Control Channel Element）の最も小さいインデックスなどにより算出されるリソースを意味する。送信先判別部３０７は、アップリンクのリソースで受信した信号を第１の端末装置より伝送された信号と判別し、生成した制御情報をＰＤＣＣＨは配置されていたＣＣＥの最も小さいインデックス以外の情報（リソースインデックス情報）から算出されるリソースに配置する。例えば、端末装置は、他の端末装置がＰＵＣＣＨの送信に用いていないＰＵＳＣＨのリソースに制御情報を配置するなどである。ただし、端末間通信の制御情報の送信に用いるＰＵＳＣＨのリソースは予め決められていても、基地局装置より指定されても良い。また、基地局装置より制御情報を送信するタイミングのＰＵＳＣＨのリソース割当がある場合のみ指定されたリソースに制御情報を配置し、基地局装置より制御情報を送信するタイミングのＰＵＳＣＨのリソース割当がない場合は予め決められたリソースを使用するとしても良い。また、送信先判別部３０７は、データ受信したリソースがダウンリンクかアップリンクかを示す情報により、制御情報の配置をＰＵＣＣＨかＰＵＳＣＨかとしていたが、この例に限られない。例えば、送信先判別部３０７は、ダウンリンクとアップリンクのどちらのリソースでデータを受信した場合も制御情報をＰＵＣＣＨに配置するとし、ダウンリンクかアップリンクかを示す情報によりリソース算出方法が異なり、ＰＵＣＣＨの異なるリソースを用いるようにすれば良い。ここで、基地局装置と第１の端末装置に同時に制御情報を送信する場合には、各制御情報をそれぞれＰＵＣＣＨとＰＵＳＣＨへ配置する。制御情報送信部３０８は、Ｄ／Ａ変換でアナログの信号に変換し、変換後の信号を伝送に使用する無線周波数にアップコンバートし、ＰＡで増幅し、送信アンテナ３０９を介して送信する。
【００４１】
本実施形態では、データ伝送に用いられるリソースがダウンリンクかアップリンクかによって、制御情報の送信先を判別し、制御情報の送信方法を変更したが、その他の方法でも良い。例えば、データを受信した送信元のセルＩＤもしくはＲＮＴＩ（Radio Network Temporary Identifier）の情報やＤＭＲＳの系列、データを受信した周波数リソースなどによって、制御情報の送信先を判別しても良い。また、端末間通信のＡＣＫ／ＮＡＣＫやその他の制御情報の送信に用いるＰＵＳＣＨのリソースは、予め決められているもしくは基地局装置より指定されたリソースであることに限られず、端末間通信のデータを受信した周波数リソース割当の少なくとも一部を用いても良い。
【００４２】
本実施形態では、第１の端末装置へ送信する制御情報をＰＵＳＣＨに配置する例を示したが、ＰＵＳＣＨの一部であっても良い。ＰＵＳＣＨは最低の割当単位は、１ＲＢであり、１ＲＢは１２サブキャリア、１４ＯＦＤＭシンボルから構成される。そのため、ＰＵＳＣＨの一部とは、１２サブキャリア未満を第１の端末装置へ送信する制御情報の伝送に用いることや、１ＲＢの一部のＯＦＤＭシンボルとしても良い。また別の例として、１４ＯＦＤＭシンボルで１サブフレームとして定義され、ＰＵＳＣＨでのデータ伝送はサブフレーム毎にスケジューリングが可能だが、特定のサブフレーム番号のみに第１の端末装置へ送信する制御情報を割り当て可能としても良い。
【００４３】
以上により、本実施形態では受信信号の伝送に用いられたリソースに応じて、送信元を判別して制御情報の生成方法、送信方法を変更する。その結果、制御情報の送信先に応じて、適切なアップリンクリソースを使用するができ、伝送効率が向上する。さらに、制御情報の送信先の情報を受信信号により判別するため、制御情報を増加せずにオーバヘッドの増加を抑制できる。
【００４４】
（第２の実施形態）
本発明の第２の実施形態では、第２の端末装置が制御情報の送信先によって、制御情報の送信に用いる送信電力制御について説明する。基地局装置と第１の端末装置は前実施形態と同様であり、それぞれ図３、図４と同一の構成となるため、説明は省略する。
【００４５】
第２の実施形態に係る第２の端末装置の構成の一例を示す概略ブロック図を図１０に示す。同図は、図５と比較するとＤＬリソース信号検出部６０３とＵＬリソース信号検出部６０４、送信電力制御部３１０、３１１が追加になっている。図１０は、その他の構成は図５と同様のため説明は省略する。第２の端末装置は、受信処理部３０２−１〜３０２−Ｎはディジタル信号からＣＰを除去した信号をそれぞれＤＬリソース信号検出部６０３とＵＬ送信帯域信号検出部６０４に出力する。
【００４６】
第２の実施形態に係るＤＬリソース信号検出部６０３の構成の一例を示す概略ブロック図を図１１に示す。ＤＬリソース信号検出部６０３は、ダウンリンクの信号が入力される。ここで、ダウンリンクの信号とは、ＦＤＤの場合、ダウンリンク用の周波数の信号であり、ＴＤＤの場合、ダウンリンクのサブフレームの信号を意味する。同図は、前実施形態の図６からパスロス測定部６０３２が追加されているため、パスロス測定部６０３２のみ説明する。パスロス測定部６０３２は、受信信号列から分離された参照信号であるＣＲＳもしくはＣＳＩ−ＲＳが入力される。また、パスロス測定部６０３２は基地局装置がダウンリンクのデータ伝送に用いる送信電力の情報が通知されており、記憶している。パスロス測定部６０３２は入力された参照信号の受信電力と記憶している基地局装置の送信電力からパスロス値ＰＬＤＬを算出する。ここで、パスロス測定部６０３２は伝搬路利得の周波数変動や時変動に影響されないように、複数のサブフレーム、周波数で算出した値を平均して用いても良い。算出したダウンリンクのパスロスの値は送信電力制御部３１０に出力される。
【００４７】
第２の実施形態に係るＵＬリソース信号検出部６０４の構成の一例を示す概略ブロック図を図１２に示す。ＵＬリソース信号検出部６０４は、アップリンクの信号が入力される。ここで、アップリンクの信号とは、ＦＤＤの場合、アップリンク用の周波数の信号であり、ＴＤＤの場合、アップリンクのサブフレームの信号を意味する。同図は、前実施形態の図８からＰＬ測定用信号分離部６０４１−１〜６０４１−Ｎ、パスロス測定部６０４２が追加されている。図１２のＵＬリソース信号検出部６０４は、図８とその他の構成が同じであり、同様の処理を行うため説明を省略する。
【００４８】
ＰＬ測定用信号分離部６０４１−１〜６０４１−Ｎは、参照信号が分離された受信信号が入力され、入力された受信信号から端末間通信に用いられるディスカバリ信号を分離してパスロス測定部６０４２に出力する。ここで、ディスカバリ信号とは端末間通信が可能な端末の見つけるためや同期などに用いられる信号のことである。パスロス測定部６０４２は、ディスカバリ信号が入力され、さらに予め決められているもしくはディスカバリ信号の送信元より通知される送信電力の情報を保持している。パスロス測定部６０４２は、ディスカバリ信号の受信電力と保持している送信電力の情報よりパスロス値ＰＬＤ２Ｄを算出し、送信電力制御部３１１に出力する。
【００４９】
図１０の制御情報送信処理部６００について説明する。送信電力制御部３１０、３１１はそれぞれ送信する制御情報と測定したパスロス値ＰＬＤＬ、ＰＬＤ２Ｄが入力される。送信電力制御部３１０は、入力された制御情報の信号に対して、次式で送信電力制御ＰＰＵＣＣＨを行う。
【００５０】
【数１】
2016213517.tif 000003
…式（１）
【００５１】
ただし、ＰＣＭＡＸ，ｃはｃ番目のＣＣ（serving cell）における第２の端末装置の許容最大送信電力であり、Ｐ０＿ＰＵＣＣＨは基地局装置における目標受信電力であり、ＰＬＤＬはパスロスを補償するための値であり、ｈ（ｎＣＱＩ，ｎＨＡＲＱ，ｎＳＲ）は指定のフォーマットにおける送信ビット数による値であり、ΔＦ＿ＰＵＣＣＨ（Ｆ）はＰＵＣＣＨのフォーマットに依存する値であり、ΔＴｘＤ（Ｆ’）は上位レイヤより通知されるＰＵＣＣＨの信号の送信に用いるアンテナポート数に依存する値であり、ｇはクローズドループの送信電力制御の値である。
【００５２】
送信電力制御部３１１は、入力された制御情報の信号に対して、次式で送信電力制御ＰＤ２Ｄ＿ＡＣＫ＿ＮＡＣＫを行う。
【００５３】
【数２】
2016213517.tif 000004
…式（２）
【００５４】
式（２）は、Ｐ０＿Ｄ２Ｄは端末間通信における目標受信電力であり、ＰＬＤ２Ｄはパスロスを補償するための値であり、ｈ（ｎＣＱＩ，ｎＨＡＲＱ，ｎＳＲ）は指定のフォーマットにおける送信ビット数による値であり、ΔＦ＿Ｄ２Ｄ（Ｆ）は端末間通信の制御情報のフォーマットに依存する値であり、ΔＴｘＤ（Ｆ’）は上位レイヤより通知されるＰＵＣＣＨの信号の送信に用いるアンテナポート数に依存する値であり、ｇはクローズドループの送信電力制御の値である。ただし、端末間通信でクローズドループの送信電力制御を行わない場合は０とする。
【００５５】
送信電力制御部３１０、３１１は、送信電力制御を施した信号を送信先判別３０７に出力する。その後、送信先判別３０７以降は前実施形態と同様である。
【００５６】
本実施形態では、端末間通信におけるパスロス値ＰＬＤ２Ｄをディスカバリ信号として説明したが、参照信号を用いても良い。また、送信先判別部３０７は前実施形態と同様としたが、パスロス値の大きさによって制御情報の送信先を判別しても良い。例えば、パスロス値が大きい場合は基地局装置とし、パスロス値が小さい場合は第１の基地局装置としても良い。
【００５７】
以上により、本実施形態では受信信号の伝送に用いられたリソースに応じて、異なる信号でパスロス値を算出し、制御情報の送信先に応じて制御情報の送信電力制御に用いるパスロス値を変えることで、適切な送信電力を設定できる。その結果、第２の端末装置は、必要最低限の送信電力を用いるため、低消費電力を実現でき、さらにセル間干渉やセルラシステムのアップリンクと端末間通信の相互への与干渉を低減できる。その結果、周波数利用効率やスループットを改善できる。
【００５８】
（第３の実施形態）
本発明の第３の実施形態では、第２の端末装置が基地局装置と第１の端末装置へのＡＣＫ／ＮＡＣＫやその他の制御情報が同一のタイミングになった場合に、送信に用いる帯域や送信する信号、送信電力の決定方法について説明する。基地局装置と第１の端末装置は前実施形態と同様であり、それぞれ図３、図４と同一の構成となるため、説明は省略する。
【００５９】
第３の実施形態に係る第２の端末装置の構成の一例を示す概略ブロック図を図１３に示す。同図は、前実施形態の図１０と比較すると送信電力制御部７００と同時送信制御部７０１、ＤＬリソース信号検出部７０３が変更になっている。図１３は、その他の構成は図１０と同様のため説明は省略する。第２の端末装置は、受信処理部３０２−１〜３０２−Ｎはディジタル信号からＣＰを除去した信号をそれぞれＤＬリソース信号検出部７０３とＵＬ送信帯域信号検出部６０４に出力する。
【００６０】
第３の実施形態に係るＤＬリソース信号検出部７０３の構成の一例を示す概略ブロック図を図１４に示す。ＤＬリソース信号検出部７０３は、ダウンリンクの信号が入力される。ここで、ダウンリンクの信号とは、ＦＤＤの場合、ダウンリンク用の周波数の信号であり、ＴＤＤの場合、ダウンリンクのサブフレームの信号を意味する。同図は、前実施形態の図１１から制御情報識別部７０３１とパスロス測定部７０３２が変更になっているため、制御情報識別部７０３１とパスロス測定部７０３２のみ説明する。制御情報識別部７０３１は、ダウンリンクのデータ伝送に用いられた送信パラメータを抽出し、受信信号検出部４０５に出力する。さらに、制御情報識別部７０３１は、受信した信号の伝送に用いられたリソースがダウンリンクかアップリンクかの情報を制御情報生成部３０５に出力する。制御情報識別部７０３１は、基地局装置より送信されたＲＲＣ（Ｒａｄｉｏ  Ｒｅｓｏｕｒｃｅ  Ｃｏｎｔｒｏｌ）シグナリングにより、ＰＵＳＣＨとＰＵＣＣＨの同時送信の可否を示すパラメータが含まれており、このＰＵＳＣＨとＰＵＣＣＨの同時送信の可否を示すパラメータを同時送信制御部７０１に出力する。パスロス測定部７０３２は、前実施形態と同様にＣＲＳもしくはＣＳＩ−ＲＳとダウンリンクの送信電力の情報からパスロスを算出し、送信電力制御部７００へ出力する。
【００６１】
第３の実施形態に係るＵＬリソース信号検出部６０４の構成は、前実施形態の図１２と同一であり、パスロス測定部６０４２に算出したパスロスの出力先が送信電力制御部７００になる以外は処理も同一である。
【００６２】
図１３の制御情報送信処理部８００について説明する。送信電力制御部７００は、式（１）、式（２）により基地局装置へ送信する制御情報と第１の端末装置に送信する制御情報の送信電力を決定する。ここで、送信電力制御部７００は、図示していないがＤＬリソース信号検出部７０３よりＰＵＳＣＨとＰＵＣＣＨの同時送信の可否を示すパラメータが入力されている。ＰＵＳＣＨとＰＵＣＣＨの同時送信の可否を示すパラメータにより、同時送信が可能であり、式（１）、式（２）で算出したＰＰＵＣＣＨとＰＤ２Ｄ＿ＡＣＫ＿ＮＡＣＫが次式を満たす場合、式（４）の送信電力の配分を決定する。
【００６３】
【数３】
2016213517.tif 000005
…式（３）
【００６４】
式（３）のＰＣＭＡＸは第２の端末装置の最大送信電力である。
【００６５】
【数４】
2016213517.tif 000006
…式（４）
【００６６】
式（４）は、第１の端末装置へ送信する制御情報の送信電力は、式（２）に基づいて決定し、基地局装置へ送信する制御情報の送信電力は、式（４）に基づいて決定することを意味する。これは、第２の端末装置は基地局装置よりも第１の端末装置の方が地理的に近いことが想定され、パスロスが小さいために所要送信電力が低くなることが考えられる。その結果、式（４）を使用したとしてもＰ’ＰＵＣＣＨの送信電力は大きく低減されず、伝送特性の影響が小さい。ただし、この送信電力の決定方法に限らず、制御情報によって指定された場合やＱｏＳなどに応じて式（５）もしくは式（６）を用いて、端末装置が複数の制御情報を送信する送信電力を最大送信電力以下に調整しても良い。
【００６７】
【数５】
2016213517.tif 000007
…式（５）
【００６８】
式（５）は、基地局装置へ送信する制御情報の送信電力は、式（１）に基づいて決定し、第１の端末装置へ送信する制御情報の送信電力は、式（５）に基づいて決定することを意味する。この方法は、基地局装置へ送信する制御情報の優先度が高い場合に、所要送信電力を確保することで、基地局装置へ送信する制御情報の伝送特性を劣化させない効果がある。
【００６９】
【数６】
2016213517.tif 000008
…式（６）
【００７０】
ｗは、スケーリングファクターであり、０≦ｗ≦１を満たす。式（６）は、基地局装置へ送信する制御情報の送信電力と第１の端末装置へ送信する制御情報の送信電力を一律に下げることで、末装置が複数の制御情報を送信する送信電力を最大送信電力以下に調整することを意味する。また、スケーリングの方法は式（６）に限られず、ＰＰＵＣＣＨとＰＤ２Ｄ＿ＡＣＫ＿ＮＡＣＫで異なるスケーリングファクターを乗算し、送信電力を調整しても良い。この場合、送信電力を一律に下げるためＰＰＵＣＣＨとＰＤ２Ｄ＿ＡＣＫ＿ＮＡＣＫの両方の送信電力の低減量がそれぞれ小さくなり、両方の制御情報の伝送特性の劣化量を小さくすることができる。
【００７１】
送信電力制御部７００は、送信電力制御後の信号を送信先判別部３０７に出力する。送信先判別部３０７は前実施形態と同様の処理を行う。同時送信制御部７０１は、制御情報識別部７０３１よりＰＵＳＣＨとＰＵＣＣＨの同時送信の可否を示すパラメータが入力される。ここで、ＰＵＳＣＨとＰＵＣＣＨの同時送信の可否を示すパラメータにより、ＰＵＳＣＨとＰＵＣＣＨの同時送信ができないかつ、基地局装置と第１の端末装置へ同一タイミングでＡＣＫ／ＮＡＣＫを送信する場合、基地局装置のみにＡＣＫ／ＮＡＣＫを送信することを決定し、基地局装置のみにＡＣＫ／ＮＡＣＫの信号のみを制御情報送信部３０８に出力する。ただし、本発明はこの例に限定されず、制御情報によって指定された場合やＱｏＳなどに応じて第１の端末装置のみにＡＣＫ／ＮＡＣＫの信号を送信するようにして、同時送信に基地局装置と第１の端末装置へのＡＣＫ／ＮＡＣＫ送信を回避しても良い。
【００７２】
また、同時送信制御部７０１は、ＰＵＳＣＨとＰＵＣＣＨの同時送信ができないかつ、基地局装置もしくは第１の端末装置の一方へＡＣＫ／ＮＡＣＫ送信と他方の送信元への周期的ＣＳＩもしくは非周期的ＣＳＩの送信タイミングは同一の場合、ＡＣＫ／ＮＡＣＫのみを送信する。ただし、同時送信制御部７０１は、ＰＵＳＣＨとＰＵＣＣＨの同時送信ができない場合、第１の端末装置へのＡＣＫ／ＮＡＣＫをＰＵＳＣＨで送信するかつ、周期的ＣＳＩもしくは非周期的ＣＳＩを同一のタイミングで送信する場合、ＰＵＳＣＨで多重して送信しても良い。
【００７３】
以上により、本実施形態では第２の端末装置が基地局装置と第１の端末装置へのＡＣＫ／ＮＡＣＫやその他の制御情報が同一のタイミングになった場合に、ＰＵＳＣＨとＰＵＣＣＨの同時送信の可否を示すパラメータに基づいて、複数のＡＣＫ／ＮＡＣＫを送信するかを決定する。その結果、複数のＡＣＫ／ＮＡＣＫの送信が可能であるかを示す新たな制御情報が必要ないため、オーバヘッドが増加しない。さらに、ＰＵＳＣＨとＰＵＣＣＨの同時送信が可能な場合の効率的な送信電力の配分方法をすることで、複数のＡＣＫ／ＮＡＣＫ送信の所要送信電力が最大送信電力を超える場合でも制御情報の伝送特性の劣化量を小さくでき、スループットの劣化を抑制できる。
【００７４】
なお、上述した実施形態に係る端末装置、基地局装置の一部、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置又は基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態に係る端末装置又は基地局装置の一部、または全部を、ＬＳＩ（Ｌａｒｇｅ  Ｓｃａｌｅ  Ｉｎｔｅｇｒａｔｉｏｎ）等の集積回路として実現しても良い。端末装置又は基地局装置の各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００７５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００７６】
１００…再送制御部
１０１−１〜１０１−Ｌ…符号化部
１０２−１〜１０２−Ｌ…変調部
１０３…プリコーディング部
１０４−１〜１０４−Ｍ…信号割当部
１０５−１〜１０５−Ｍ…参照信号多重部
１０６−１〜１０６−Ｍ…制御情報多重部
１０７−１〜１０７−Ｍ…ＩＦＦＴ部
１０８−１〜１０８−Ｍ…送信処理部
１０９−１〜１０９−Ｍ…送信アンテナ
１１０…受信アンテナ
１１１…受信部
１１２…制御情報決定部
１１３…参照信号生成部
２００…再送制御部
２０１…符号化部
２０２…変調部
２０３…ＤＦＴ部
２０４…信号割当部
２０５…参照信号多重部
２０６…ＩＦＦＴ部
２０７…送信処理部
２０８…送信アンテナ
２０９…受信アンテナ
２１０…受信部
２１１…送信パラメータ抽出部
２１２…参照信号生成部
３００…制御情報送信処理部
３０１−１〜３０１−Ｎ…受信アンテナ
３０２−１〜３０２−Ｎ…受信処理部
３０３…ＤＬリソース信号検出部
３０４…ＵＬリソース信号検出部
３０５…制御情報生成部
３０７…送信先判別部
３０８…制御情報送信部
３０９…送信アンテナ
３１０…送信電力制御部
３１１…送信電力制御部
４０１−１〜４０１−Ｎ…ＦＦＴ部
４０２−１〜４０２−Ｎ…制御情報分離部
４０３−１〜４０３−Ｎ…参照信号分離部
４０４−１〜４０４−Ｎ…割当信号抽出部
４０５…受信信号検出部
４０６…誤り判定部
４０８…伝搬路推定部
４０９…制御情報出力部
４１０…制御情報識別部
４０５１…ＭＩＭＯ分離部
４０５２−１〜４０５２−Ｌ…ＩＤＦＴ部
４０５３−１〜４０５３−Ｌ…復調部
４０５４−１〜４０５４−Ｌ…復号部
５０２−１〜５０２−Ｎ…制御情報分離部
５０４−１〜５０４−Ｎ…割当信号抽出部
５０５…受信信号検出部
５１０…制御情報識別部
６００…制御情報送信処理部
６０３…ＤＬリソース信号検出部
６０４…ＵＬリソース信号検出部
６０３２…パスロス測定部
６０４１…ＰＬ測定用信号分離部
６０４２…パスロス測定部
７００…送信電力制御部
７０１…同時送信制御部
７０３…ＤＬリソース信号検出部
７０３１…制御情報識別部
７０３２…パスロス測定部
８００…制御情報送信処理部
【図１】
2016213517.tif 000009
【図２】
2016213517.tif 000010
【図３】
2016213517.tif 000011
【図４】
2016213517.tif 000012
【図５】
2016213517.tif 000013
【図６】
2016213517.tif 000014
【図７】
2016213517.tif 000015
【図８】
2016213517.tif 000016
【図９】
2016213517.tif 000017
【図１０】
2016213517.tif 000018
【図１１】
2016213517.tif 000019
【図１２】
2016213517.tif 000020
【図１３】
2016213517.tif 000021
【図１４】
2016213517.tif 000022